(57)【要約】      （修正有）【課題】防火シャッターの不慮な下降による人身事故を防止する。【解決手段】建物の壁面Ｗに対する取付ボックスＡと、これに組付けられた警報器Ｂとから成り、その警報器Ｂの内部へベル１５の回転芯軸１６によって巻き上げられるゼンマイ１９と、そのゼンマイ１９の巻き戻りによって連動回転される増速歯車列Ｇとを設置し、その歯車列Ｇと係合するベル叩打用ハンマー支持アーム３０の揺動を、上記取付ボックスＡに枢支された水平状態のシャッター受けアーム３により阻止した平常時から、そのシャッター受けアーム３が防火シャッター６により押し下げられて伏倒した非常時には、上記ハンマー支持アーム３０が自由に揺動して、ベル１５を繰り返し叩打するように定めた。【選択図】図１２
0003107654.tif 000002
【実用新案登録請求の範囲】
【請求項１】
建物の壁面（Ｗ）に固定使用される取付ボックス（Ａ）と、ベル（１５）だけが表側へ張り出す露呈状態として、その取付ボックス（Ａ）の内部に組付けユニット化された警報器（Ｂ）とから成り、
上記取付ボックス（Ａ）へシャッター受けアーム（３）を起伏的な回動自在に枢着して、そのシャッター受けアーム（３）が取付ボックス（Ａ）から一定長さ（Ｌ）だけ張り出す前部を、防火シャッター（６）の下面へ臨む水平状態に保持させる一方、
上記警報器（Ｂ）を形作るベル（１５）の回転芯軸（１６）上へ、そのベル（１５）の回転操作により巻き上げ緊張されるゼンマイ（１９）と、そのゼンマイ（１９）の巻き戻り弛緩により逆転する原動歯車（２２）とを取り付け、
上記回転芯軸（１６）と平行な揺動支点軸（３１）の廻りに揺動し得るハンマー支持アーム（３０）の一端部をベル（１５）の叩打ハンマー（３３）とし、同じくハンマー支持アーム（３０）の他端部を二叉フォーク爪（３２）として、その二叉フォーク爪（３２）を上記原動歯車（２２）と連動回転する従動軸（２７）上の星型歯車（２９）へ係合させると共に、
上記ハンマー支持アーム（３０）の中途部へ下方から臨む揺動ロック片（３６）の昇降ピン（４２）を、上記取付ボックス（Ａ）側の水平状態にあるシャッター受けアーム（３）により押し上げて、そのハンマー支持アーム（３０）の揺動を阻止したセット状態から、上記シャッター受けアーム（３）が防火シャッター（６）により押し下げられて伏倒するや否や、その揺動するハンマー支持アーム（３０）の上記ハンマー（３３）がベル（１５）を繰り返し叩打するように定めたことを特徴とする防火シャッターの下降警報装置。
【請求項２】
ベル（１５）の回転芯軸（１６）上へ遊合状態に套嵌された最も径大な原動歯車（２２）を、同じく回転芯軸（１６）上へ一体回転し得るように套嵌された爪車（２１）と、その原動歯車（２２）へ枢着された逆転伝動爪（２３）を介して、常時噛合する状態に弾圧付勢する一方、
上記回転芯軸（１６）と平行な従動軸（２７）上へ星型歯車（２９）と一体回転し得るように套嵌された最も径小な従動歯車（２８）と、上記原動歯車（２２）との相互間へ中間歯車（２６）を噛合させることにより、これらの全体から一定な回転比の増速歯車列（Ｇ）を形作ったことを特徴とする請求項１記載の防火シャッターの下降警報装置。
【請求項３】
取付ボックス（Ａ）のフラットな底壁（４）に沿って前後方向へ延在するシャッター受けアーム（３）の後端部を、蝶番（５）によって取付ボックス（Ａ）へ枢着すると共に、
そのシャッター受けアーム（３）の中間部から上向き一体的に突設された差込み金具（７）と係脱自在に咬み合う受け止め金具（８）を、上記取付ボックス（Ａ）における前壁（９）の内側に取り付け固定する一方、
上記取付ボックス（Ａ）から張り出し露呈するベル（１５）の表面を、赤く着色したことを特徴とする請求項１記載の防火シャッターの下降警報装置。
【考案の詳細な説明】
【技術分野】
【０００１】
本考案は防火シャッターの不慮な下降による人身事故を防ぐ警報装置に関する。
【背景技術】
【０００２】
学校、デパート、その他の大型建物における階段や廊下などの通路には、防火シャッターが設置されている。これは平常時に通路を開放しており、火災や地震などの非常時に下降して、その通路を遮断するようになっている。
【考案の開示】
【考案が解決しようとする課題】
【０００３】
ところが、防火シャッターは正常に作動するか否か、定期的に点検されることになっているが、平常時でも誤作動に起因して下降するおそれ無しとせず、特に学校では生徒の悪戯により、その不慮に下降した防火シャッターに身体を挟まれたり、死亡したりする人身事故が絶えない。
【課題を解決するための手段】
【０００４】
本考案はこのような課題の改良を目的としており、その目的を達成するための構成上、請求項１では建物の壁面に固定使用される取付ボックスと、ベルだけが表側へ張り出す露呈状態として、その取付ボックスの内部に組付けユニット化された警報器とから成り、
【０００５】
上記取付ボックスへシャッター受けアームを起伏的な回動自在に枢着して、そのシャッター受けアームが取付ボックスから一定長さだけ張り出す前部を、防火シャッターの下面へ臨む水平状態に保持させる一方、
【０００６】
上記警報器を形作るベルの回転芯軸上へ、そのベルの回転操作により巻き上げ緊張されるゼンマイと、そのゼンマイの巻き戻り弛緩により逆転する原動歯車とを取り付け、
【０００７】
上記回転芯軸と平行な揺動支点軸の廻りに揺動し得るハンマー支持アームの一端部をベルの叩打ハンマーとし、同じくハンマー支持アームの他端部を二叉フォーク爪として、その二叉フォーク爪を上記原動歯車と連動回転する従動軸上の星型歯車へ係合させると共に、
【０００８】
上記ハンマー支持アームの中途部へ下方から臨む揺動ロック片の昇降ピンを、上記取付ボックス側の水平状態にあるシャッター受けアームにより押し上げて、そのハンマー支持アームの揺動を阻止したセット状態から、上記シャッター受けアームが防火シャッターにより押し下げられて伏倒するや否や、その揺動するハンマー支持アームの上記ハンマーがベルを繰り返し叩打するように定めたことを特徴とする。
【０００９】
又、請求項２では上記請求項１に従属する構成として、ベルの回転芯軸上へ遊合状態に套嵌された最も径大な原動歯車を、同じく回転芯軸上へ一体回転し得るように套嵌された爪車と、その原動歯車へ枢着された逆転伝動爪を介して、常時噛合する状態に弾圧付勢する一方、
【００１０】
上記回転芯軸と平行な従動軸上へ星型歯車と一体回転し得るように套嵌された最も径小な従動歯車と、上記原動歯車との相互間へ中間歯車を噛合させることにより、これらの全体から一定な回転比の増速歯車列を形作ったことを特徴とする。
【００１１】
更に、請求項３では同じく請求項１に従属する構成として、取付ボックスのフラットな底壁に沿って前後方向へ延在するシャッター受けアームの後端部を、蝶番によって取付ボックスへ枢着すると共に、
【００１２】
そのシャッター受けアームの中間部から上向き一体的に突設された差込み金具と係脱自在に咬み合う受け止め金具を、上記取付ボックスにおける前壁の内側に取り付け固定する一方、
【００１３】
上記取付ボックスから張り出し露呈するベルの表面を、赤く着色したことを特徴とする。
【考案の効果】
【００１４】
請求項１の上記構成によれば、平常時取付ボックスから一定長さだけ張り出すシャッター受けアームの前部が、防火シャッターの下面へ臨む水平状態に保持されており、これにより押し上げられた昇降ピンを介して、揺動ロック片が警報器のハンマー支持アームを揺動不能に阻止しているため、ベルの回転操作により予じめ巻き上げ緊張されているゼンマイが、不慮に巻き戻り弛緩したり、そのハンマーがベルを叩打したりするおそれはない。
【００１５】
そして、防火シャッターが火災や地震などの非常時を初め、平常時でも誤作動に起因して下降した場合、これにより押し下げられた取付ボックス側のシャッター受けアームが、その水平な支点廻りに垂れ下がり伏倒するため、上記昇降ピンによって予じめ押し上げられていた揺動ロック片が自づと下降し、そのハンマー支持アームの揺動を許すことになる結果、ゼンマイが巻き戻り弛緩し終るまで、ハンマーがベルを叩打し続けるのであり、その警報音によって人身事故を防止することができる。
【００１６】
その場合、警報器は取付ボックスの内部に組付けユニット化されているため、その取付ボックスを所謂共鳴箱として、上記ベルの叩打音を周辺へ広く波及させ得る効果もある。
【００１７】
特に、請求項２の構成を採用するならば、ベルの回転芯軸を回転操作しても、原動歯車と中間歯車、従動歯車並びに星型歯車が回転せず、その停止状態にあるため、ゼンマイを円滑に支障なく巻き上げ緊張させることができ、他方このようなセット状態からゼンマイが巻き戻り弛緩すると、上記原動歯車がベルの回転芯軸と一体的に逆転し、増速歯車列を経て星型歯車が高速回転するため、ハンマー支持アームは激しく揺動することになり、そのベルの叩打による警報効果がますます向上する。
【００１８】
更に、請求項３の構成を採用するならば、シャッター受けアームをその中間部の差込み金具と、これと咬み合う取付ボックス側の受け止め金具によって、その取付ボックスへ安定な水平状態に保持することができるほか、警報器のベルが赤色に表出するため、その使用状態を視覚に訴えて、学校の生徒による悪戯を予防し得る効果もある。
【考案を実施するための最良の形態】
【００１９】
以下、図面に基いて本考案の具体的構成を詳述すると、図１〜８はその警報装置の平常状態（不作動状態）を示しており、（Ａ）は金属板から裏側のほぼ全開する直方体に造形された取付ボックスであって、これから張り出す前後一対の取付座（１）が固定ボルト（２）などにより、建物の階段や廊下、その他の通路を画定する壁面（Ｗ）の高所へ取り付け使用される。
【００２０】
（３）は上記取付ボックス（Ａ）のフラットな底壁（４）に沿って前後方向（奥行方向）へ延在するシャッター受けアームであり、その後端部が蝶番（５）を介して取付ボックス（Ａ）へ、起伏的な回動自在に枢着されている一方、その取付ボックス（Ａ）から一定長さ（Ｌ）だけ張り出し延長された前部が、防火シャッター（６）の下面へ直交状態に臨むこととなる。尚、シャッター受けアーム（３）は不正変形しない断面倒立Ｕ字型の金属板から成る。
【００２１】
又、（７）はこのようなシャッター受けアーム（３）の中間部から上向き一体的に突設されたほぼ楔状の差込み金具、（８）はこれと係脱自在に咬み合う受け止め金具であって、上記取付ボックス（Ａ）における前壁（９）の中央部へ内側から取り付け固定されており、これが差込み金具（７）を受け止めることによって、上記シャッター受けアーム（３）を取付ボックス（Ａ）の底壁（４）と面接触する水平状態に保つ。
【００２２】
更に、（１０）は上記取付ボックス（Ａ）における表壁（１１）の中央部に開口形成された円形のベル導出窓であり、後述する警報器のベルを導出する。（１２）は同じく取付ボックス（Ａ）の底壁（４）における表側へ偏倚した中央部に切り抜かれた昇降ピン導出孔であり、これを通じて垂下する後述の昇降ピンが、上記シャッター受けアーム（３）によって押し上げられることとなる。
【００２３】
上記シャッター受けアーム（３）を備えた取付ボックス（Ａ）には、次のような警報器（Ｂ）が組付けユニット化されている。
【００２４】
即ち、その警報器（Ｂ）の明白な図３〜８において、（１３）は金属板から上記取付ボックス（Ａ）よりも小型・扁平な断面コ字型に造形された器枠であり、その楕円形をなすフラットな表壁（１４）の中心部には、ベル（１５）の回転芯軸（１６）が水平に貫通横断されている。（１７）はその器枠（１３）に嵌合された裏蓋を示している。
【００２５】
そして、このような警報器（Ｂ）の器枠（１３）は上記取付ボックス（Ａ）の内側から、その取付ボックス（Ａ）の表壁（１１）へ接合され、且つ前後一対の貫通ボルト・ナット（１８）によって、取付ボックス（Ａ）の表壁（１１）へ組付け固定されており、警報器（Ｂ）のベル（１５）だけが上記ベル導出窓（１０）を通じて、取付ボックス（Ａ）の表側に張り出し露呈している。そのベル（１５）の表面を赤く着色することが望ましい。
【００２６】
（１９）は上記器枠（１３）の内部へ別個な固定バネ受け座（２０）を介して、渦巻き状態に封入設置されたゼンマイであり、図８に示す如く、その中心側の一端部が上記ベル（１５）の回転芯軸（１６）へ、残る周縁側の他端部がそのバネ受け座（１０）へ各々係止一体化されている。そのため、ベル（１５）を表側から把持して、図７、８の時計方向（Ｆ）へ回転操作すれば、そのゼンマイ（１９）が巻き上げ緊張されることになる。
【００２７】
（２１）は椀状をなす上記ベル（１５）の内部に位置しつつ、その回転芯軸（１６）上へ一体回転し得るように套嵌された径小な爪車又は主歯車、（２２）は同じく回転芯軸（１６）上へ遊合状態に套嵌された最も径大な原動歯車であり、これに枢着された逆転伝動爪（２３）を介して、上記爪車（２１）と噛合している。（２４）はその噛合状態に押圧付勢する引張りバネである。
【００２８】
しかも、上記原動歯車（２２）は中間軸（２５）上に套嵌された大小二段の中間歯車（２６）を経て、従動軸（２７）上の最も径小な従動歯車（２８）と噛合しており、これらの全体から一定な回転比の増速歯車列（Ｇ）を形作っている。
【００２９】
つまり、上記ゼンマイ（１９）の巻き戻り弛緩によって、ベル（１５）の回転芯軸（１６）が図１２、１３の反時計方向（Ｒ）へ逆転すれば、その爪車（２１）との噛合状態にある逆転伝動爪（２３）を介して、原動歯車（２２）もこれと同じ方向へ回転作用し、従動歯車（２８）が高速回転するようになっているのである。
【００３０】
他方、上記ベル（１５）の回転芯軸（１６）を図７、８の時計方向（Ｆ）へ回転操作した時、上記爪車（２１）はその回転芯軸（１６）と一体に同じ方向へ回転するが、増速歯車列（Ｇ）を形作っている原動歯車（２２）と中間歯車（２６）並びに従動歯車（２８）は回転せず、そのためゼンマイ（１９）を支障なく円滑に巻き上げ緊張させることができる。
【００３１】
又、（２９）は上記従動歯車（２８）と一体回転し得るように、その従動軸（２７）上へ套嵌された星型歯車であり、従動歯車（２８）よりも若干大きい。（３０）は上記ベル（１５）の回転芯軸（１６）と平行な揺動支点軸（３１）の廻りに揺動し得るハンマー支持アームであって、ほぼＶ字型に屈曲形成されており、その一端部が二叉フォーク爪（３２）として、上記星型歯車（２９）と係合するようになっている一方、残る他端部がハンマー（３３）として、上記ベル（１５）を叩打し得るようになっている。
【００３２】
尚、（３４）は上記ベル（１５）の回転芯軸（１６）や中間軸（２５）、従動軸（２７）、ハンマー支持アーム（３０）の揺動支点軸（３１）に悉く共通する軸受板であり、複数の支柱（３５）を介して、上記器枠（１３）の表壁（１４）に固定支持されている。
【００３３】
更に、（３６）は上記ハンマー支持アーム（３０）の揺動を阻止することにより、その一端部の二叉フォーク爪（３２）が星型歯車（２９）の回転を、延いてはゼンマイ（１９）の巻き戻り弛緩を防ぐと共に、同じく他端部のハンマー（３３）がベル（１５）を叩打しない浮上状態に保つためのロック片であって、ベル（１５）の垂直中心線（Ｙ−Ｙ）上に沿い延在し、その上端部がハンマー支持アーム（３０）における上記屈曲中途部の真下位置に臨んでいる。
【００３４】
そして、同じく揺動ロック片（３６）の下端部はベル（１５）の内部から、上記器枠（１３）の表壁（１４）に対応開口されたロック片導通孔（３７）を経て、その器枠（１３）の内部まで導入されている。（３８）はその揺動ロック片（３６）の下端部へ、平面視の直交状態に連結一体化された板バネであり、その基端部が上記器枠（１３）の円弧状底壁（３９）へ内側から添え付け固定されている。（４０）はその板バネ固定用のリベットである。
【００３５】
（４１）はその器枠（１３）における円弧状底壁（３９）の中央部に切り抜かれた昇降ピン受け入れ孔であり、上記取付ボックス（Ａ）のフラットな底壁（４）に開口する昇降ピン導出孔（１２）と対応合致している。（４２）はその合致連通する昇降ピン受け入れ孔（４１）と昇降ピン導出孔（１２）の内部へ、脱落不能に通し込み垂立された昇降ピンであって、これもベル（１５）の垂直中心線（Ｙ−Ｙ）上に位置し、上記板バネ（３８）により支持されている揺動ロック片（３６）を、その下方から押し上げることができるようになっている。
【００３６】
つまり、本考案の警報装置を使用するに当っては、ベル（１５）の回転芯軸（１６）を図７、８の時計方向（Ｆ）へ回転操作して、ゼンマイ（１９）を巻き上げ緊張させる一方、上記取付ボックス（Ａ）側のシャッター受けアーム（３）を水平状態に受け止め保持して、その取付ボックス（Ａ）から一定長さ（Ｌ）だけ張り出すシャッター受けアーム（３）の前部を図２〜８のように、防火シャッター（６）の下面へ直交状態に臨ませれば良い。
【００３７】
このようにセットされた警報装置の平常状態（不作動状態）では、図３〜８から明白なように、上記取付ボックス（Ａ）側のシャッター受けアーム（３）によって上昇される昇降ピン（４２）が、上記ハンマー支持アーム（３０）の揺動ロック片（３６）を押し上げて、そのハンマー支持アーム（３０）における揺動支点軸（３１）廻りの揺動を阻止することとなる。
【００３８】
その結果、そのハンマー支持アーム（３０）の一端部をなす二叉フォーク爪（３２）の係止力によって、星型歯車（２９）と上記増速歯車列（Ｇ）の回転が阻止され、延いてはゼンマイ（１９）が不慮に巻き戻り弛緩されてしまうおそれはなく、同じくハンマー支持アーム（３０）の他端部をなすハンマー（３３）によって、ベル（１５）が叩打されてしまうおそれもない。
【００３９】
そして、防火シャッター（６）が火災や地震などの非常時を初め、平常時でも誤作動により下降した場合には、図９〜１３に示す如く、その防火シャッター（６）により押し下げられた上記取付ボックス（Ａ）側のシャッター受けアーム（３）が、その蝶番（５）の水平な支点廻りに取付ボックス（Ａ）から垂れ下がり伏倒することになる。
【００４０】
そうすれば、上記昇降ピン（４２）も自づと下降して、これにより予じめ押し上げられていた揺動ロック片（３６）が、そのハンマー支持アーム（３０）から下方へ離脱する結果、上記ゼンマイ（１９）の完全に巻き戻り弛緩するまで、ベル（１５）の回転芯軸（１６）が図１２、１３の反時計方向（Ｒ）へ逆転続行し、上記増速歯車列（Ｇ）の連動回転を介して、ハンマー支持アーム（３０）が激しく揺動作用することとなり、そのハンマー（３３）によってベル（１５）が繰り返し叩打されるのである。
【００４１】
その場合、ベル（１５）の繰り返し叩打音は上記取付ボックス（Ａ）を共鳴箱として増幅され、周辺へ広く警報される結果となる。
【００４２】
このようなベル（１５）の警報音が、不慮に下降する防火シャッター（６）の危険を知らせ、特に学校での生徒が挟まれる人身事故の予防に役立つ。又、そのための上記警報器（Ｂ）は機械式であって、電源を要さない意味からも実用性に優れる。
【図面の簡単な説明】
【００４３】
【図１】本考案の警報装置を示す斜面図である。
【図２】その警報装置の取付状態を示す側面図である。
【図３】図２の拡大図である。
【図４】ベルを取りはずして示す図３に対応する拡大図である。
【図５】図３の５−５線断面図である。
【図６】図３の６−６線断面図である。
【図７】図６の７−７線断面図である。
【図８】図６の８−８線断面図である。
【図９】シャッター受けアームの垂れ下がり伏倒状態を示す図１に対応する本考案の斜面図である。
【図１０】同じく図２に対応する側面図である。
【図１１】図１０の拡大図であって図６に対応する。
【図１２】図１１の１２−１２線断面図である。
【図１３】図１１の１３−１３線断面図である。
【符号の説明】
【００４４】
（１）・取付座
（３）・シャッター受けアーム
（５）・蝶番
（６）・防火シャッター
（７）・差込み金具
（８）・受け止め金具
（１０）・ベル導出窓
（１２）・昇降ピン導出孔
（１３）・器枠
（１４）・表壁
（１５）・ベル
（１６）・回転芯軸
（１７）・裏蓋
（１９）・ゼンマイ
（２０）・バネ受け座
（２１）・爪車
（２２）・原動歯車
（２３）・逆転伝動爪
（２４）・引張りバネ
（２５）・中間軸
（２６）・中間歯車
（２７）・従動軸
（２８）・従動歯車
（２９）・星型歯車
（３０）・ハンマー支持アーム
（３１）・揺動支点軸
（３２）・二叉フォーク爪
（３３）・ハンマー
（３４）・軸受板
（３５）・支柱
（３６）・揺動ロック片
（３７）・ロック片導通孔
（３８）・板バネ
（４１）・昇降ピン受け入れ孔
（４２）・昇降ピン
（Ａ）・取付ボックス
（Ｂ）・警報器
（Ｇ）・増速歯車列
（Ｗ）・建物の壁面
（Ｆ）・ゼンマイの巻き上げ回転方向（時計方向）
（Ｒ）・ゼンマイの巻き戻り逆転方向（反時計方向）
【図１】
0003107654.tif 000003
【図２】
0003107654.tif 000004
【図３】
0003107654.tif 000005
【図４】
0003107654.tif 000006
【図５】
0003107654.tif 000007
【図６】
0003107654.tif 000008
【図７】
0003107654.tif 000009
【図８】
0003107654.tif 000010
【図９】
0003107654.tif 000011
【図１０】
0003107654.tif 000012
【図１１】
0003107654.tif 000013
【図１２】
0003107654.tif 000014
【図１３】
0003107654.tif 000015